(57)【特許請求の範囲】
【請求項１】
本体前面下側に配設され、遊技球を貯留すると共に貯留された遊技球を整列させて発射位置に供給する整列路を有した球受皿を設けたパチンコ遊技機において、
前記球受皿に設けられた第１開閉板と、
前記第１開閉板の下方に開口部が設けられていると共に、互いに分岐した２つの通路を有し、この２つの通路の内の一方が、遊技球を下方へ落下させるための球排出口に連通された球抜き通路と、
前記本体前面側に設けられ、前記球抜き通路が有する２つの通路の内の他方が連通された球取出口と、
前記一方の通路を開放すると共に前記他方の通路を閉鎖する位置と、前記一方の通路を閉鎖すると共に前記他方の通路を開放する位置との間を移動可能な第２開閉板と、
前記第１開閉板により前記球抜き通路の前記開口部を閉鎖する非球抜き状態と、前記第１開閉板により前記球抜き通路の前記開口部を開放すると共に前記第２開閉板により前記一方の通路を閉鎖し且つ前記他方の通路を開放する球抜き状態と、前記第１開閉板により前記球抜き通路の前記開口部を開放すると共に前記第２開閉板により前記一方の通路を開放し且つ前記他方の通路を閉鎖する球抜き状態とに前記第１開閉板及び前記第２開閉板を切り替え操作するための単一の球抜きレバーと、
を備えたことを特徴とするパチンコ遊技機。
【発明の詳細な説明】
【技術分野】
【０００１】
本発明は、パチンコ遊技機に係り、特に遊技球を貯留する球受皿から遊技球を抜き出す球抜き機構の改良に関する。
【背景技術】
【０００２】
従来、パチンコ遊技機は、本体裏面に設けた賞品球タンクから供給された賞品球を貯留する上球受皿と、上球受皿からオーバーフローした遊技球や上球受皿から球抜きされた遊技球等を収容する下球受皿とを設けている。そして、上球受皿には、上球抜きレバーの手動操作により上球受皿に貯留された遊技球を球抜きして下球受皿に送る球抜き機構が設けられており、また、下球受皿には、下球抜きレバーの操作により、下球受皿に貯留された遊技球を球落下口を通して球抜きする球抜き機構がそれぞれ別個に設けられている。
【０００３】
上記パチンコ遊技機の場合、例えばいわゆる大当りと言われる特別入賞状態の発生により短時間に上球受皿が遊技球で満杯状態になると、上球抜きレバーの操作によりこれら遊技球を一旦下球受皿に移し、かつ下球受皿に貯留された遊技球を下球抜きレバーの操作により下球受皿に設けた球落下口から落として抜き取るようにしていた。
【０００４】
しかし、上球受皿に供給された遊技球をパチンコ遊技機本体の外部に抜き出すために、わざわざ下球受皿を経由しなければならず、球抜き経路が複雑であると共に直接遊技球を取り出すための球抜き口が１箇所であるため、球抜き速度も遅くなり、遊技球の流れに混乱を生じるという問題があった。特に、上記大当り毎に賞品球を交換しなければならないいわゆる１回交換のときの球抜きに非常に時間を要した。また、球抜き操作を行うために、上下離れた位置にある上球抜きレバー及び下球抜きレバーを両手で同時に操作しなければならず、遊技を中止しなければならない等非常に煩雑であった。
【発明の開示】
【発明が解決しようとする課題】
【０００５】
本発明は、上記した問題を解決しようとするもので、球受皿に供給された大量の遊技球を効率よく球抜きできるパチンコ遊技機を提供することを目的とする。
【課題を解決するための手段】
【０００６】
上記目的を達成するために上記請求項１に係る発明の構成上の特徴は、本体前面下側に配設され、遊技球を貯留すると共に貯留された遊技球を整列させて発射位置に供給する整列路を有した球受皿を設けたパチンコ遊技機において、前記球受皿に設けられた第１開閉板と、前記第１開閉板の下方に開口部が設けられていると共に、互いに分岐した２つの通路を有し、この２つの通路の内の一方が、遊技球を下方へ落下させるための球排出口に連通された球抜き通路と、前記本体前面側に設けられ、前記球抜き通路が有する２つの通路の内の他方が連通された球取出口と、前記一方の通路を開放すると共に前記他方の通路を閉鎖する位置と、前記一方の通路を閉鎖すると共に前記他方の通路を開放する位置との間を移動可能な第２開閉板と、前記第１開閉板により前記球抜き通路の前記開口部を閉鎖する非球抜き状態と、前記第１開閉板により前記球抜き通路の前記開口部を開放すると共に前記第２開閉板により前記一方の通路を閉鎖し且つ前記他方の通路を開放する球抜き状態と、前記第１開閉板により前記球抜き通路の前記開口部を開放すると共に前記第２開閉板により前記一方の通路を開放し且つ前記他方の通路を閉鎖する球抜き状態とに前記第１開閉板及び前記第２開閉板を切り替え操作するための単一の球抜きレバーと、を備えたことにある。
【発明の効果】
【０００７】
上記のように請求項１に係る発明を構成したことにより、球受皿に貯留された遊技球を球受皿の下方に移動させる場合には、第１開閉板により球抜き通路の開口部を開放すると共に第２開閉板により一方の通路を開放し且つ他方の通路を閉鎖することにより、遊技球を球受皿の下方に移動させることができる。そして、いわゆる大当り状態のように大量の賞品球が供給されて、遊技球が球受皿からあふれるような場合には、第１開閉板により球抜き通路の開口部を開放すると共に第２開閉板により一方の通路を閉鎖し且つ他方の通路を開放することにより、遊技球を本体前面側から直接取り出すことができる。
その結果、請求項１の発明によれば、球受皿からの球抜きを、本体前面側に設けられた球取出口を使用することにより、球抜き通路及び球排出口による経路とは異なる別経路で球受け皿に貯留された遊技球の球抜きを行うことができ、これにより球抜き時間を大幅に短縮することができる。
【発明を実施するための最良の形態】
【０００８】
以下、本発明の一実施の形態を図面を用いて説明すると、図１及び図２は、本発明に係るパチンコ遊技機の本体１０を正面図及び背面図により示したものであり、図３は、本体１０の一部を、前面のガラス扉１１及び上皿基板２０を開放した状態で斜視図により示したものである。本体１０のガラス扉１１及び上皿基板２０を開放した内側には、遊技盤３０が設けられている。遊技盤３０は、木、樹脂又は、金属製の板で形成されており、周囲を除く部分に略円弧形の通過レール３１ａ及び仕切りレール３１ｂによって囲まれた遊技領域３２を設けている。遊技盤３０の左下端部（以下、右左方向については、本体１０の正面から視た方向とする）には、図３に示すように、賞品球を上球受皿２１に排出する賞品球排出口３３が設けられている。また、遊技盤３０の下側には、金属製、樹脂製、木製等の基盤４０が設けられている。
【０００９】
基盤４０には、通過レール３１ａの右下端につづいてファール球の通路である遊技球排出筒４１が設けられている。遊技球排出筒４１の前面下端には開口４１ａが設けられている。通過レール３１ａの遊技球排出筒４１を挟んだ延長位置には、発射レール４２が設けられている。発射レール４２は、図３に示すように、その下端部の遊技球発射位置に遊技球を保持するために略直角に曲げられた遊技球保持部４２ａを設けている。遊技球保持部４２ａは、後述する遊技球発射装置７９の打球杆４３の先端が遊技球に当たるように四角形の孔が設けられている。遊技球排出筒４１の右側の発射レール４２の下側には、第２遊技球排出筒４４が設けられており、第２遊技球排出筒４４の前面には開口４４ａが形成されている。第２遊技球排出筒４４の下端は、下球受皿５１の右下位置に設けた球取出口４４ｂにつなげられている。
【００１０】
上皿基板２０は、図１に示すように、その前面に上球受皿２１を設けており、また図３に示すように、右端側に遊技球供給機構６０を設けている。上球受皿２１は、図４に示すように、基板面２０ａを除く周囲に囲い２１ａが設けられ、囲い２１ａの内側の左側半分に広い領域の球受入れ部２１ｂを設けている。球受入れ部２１ｂの右側は、徐々に幅が絞られて右方に延びた整列路２１ｃにつなげられている。整列路２１ｃは、遊技球を一列に配列させるもので、右方に向けて下方にわずかに傾斜しており遊技球供給機構６０につなげられている。上球受皿２１の左端の基板面２０ａには、賞品球供給口２１ｄが開口しており、賞品球供給口２１ｄには後方に向けて突出した賞品球供給筒２１ｅが取り付けられている。賞品球供給筒２１ｅは、遊技盤３０の下端に設けられた賞品球排出口３３に連結されて、後述する賞品球タンク７３から供給された賞品球を、賞品球排出口３３を通して上球受皿２１に導くようになっている。
【００１１】
囲い２１ａの右端側の平坦領域２１ａ1 には、図４に示すように、上皿球抜きボタン２２ａが設けられ、その前方には上皿切替レバー２２ｂが設けられている。上皿球抜きボタン２２ａは、押釦式スイッチであり、そのオンオフに応じて後述する賞球基板７８の制御により、後述する電磁ソレノイド２５を通電、非通電状態にさせるようになっている。上皿切替レバー２２ｂは、遊技球が下球受皿に送られる後述する下皿通路２４ｃ側と、第２遊技球排出筒４４に送られる後述する通路２４ｂとを切り替えるスライドスイッチであり、上皿球抜きボタン２２ａと共に下皿通路２４ｃ側（右側位置）と通路２４ｂ側（左側位置）に応じて、後述する賞球基板７８の制御により、後述する第２開閉板２４ｄの電磁ソレノイド２６を非通電状態と通電状態にさせるようになっている。なお、ここで上皿切替レバー２２ｂにより通路２４ｂ側が閉鎖されたときに、上皿球抜きボタン２２ａを押すと、請求項に示す第４球抜き機構が作動し、上皿切換レバー２２ｂにより第２遊技球排出筒４４に送られる通路２４ｂが開かれたときに上皿球抜きボタン２２ａを押すと、請求項に示す第６球抜き機構が作動する。
【００１２】
整列路２１ｃの右端には、図５に示すように、段差が設けられており、その下側には第１開閉板２３が設けられている。第１開閉板２３の下方には、球抜き通路２４の開口部２４ａが設けられている。球抜き通路２４は、互いに分岐した下方にわずかに延びた通路２４ｂと、左下方に向けてわずか傾斜して延出された下皿通路２４ｃとにより構成されている。通路２４ｂの下端には、開口部２４ｂ1が設けられ、開口部２４ｂ1 は、第２遊技球排出筒４４の開口４４ａに連通するようになっている。また、下皿通路２４ｃの左端の開口部２４ｃ1 は、上記遊技球排出筒４１の開口４１ａに連通するようになっている。そして、通路２４ｂと下皿通路２４ｃの分岐位置の下端側には、通路２４ｂを開閉する水平に配置された第２開閉板２４ｄが設けられている。第２開閉板２４ｄは、下皿通路２４ｃの反対側位置に垂直に遮蔽部２４ｄ1 を設けている。
【００１３】
第１開閉板２３は、その左端が下皿通路２４ｃの上部に固定された電磁ソレノイド２５の右方に延びたロッド２５ａに取り付けられており、通常は電磁ソレノイド２５の非通電状態におけるロッド２５ａの右方向への突出により、球抜き通路２４を閉鎖している。球抜き通路２４の開放は、電磁ソレノイド２５の通電によりロッド２５ａを左方向へ吸引させて、第１開閉板２３を左方向に移動させることにより行うことができる。
【００１４】
第２開閉板２４ｄは、その左端が下皿通路２４の前方下部に固定された電磁ソレノイド２６の右方に延びたロッド２６ａに取り付けられており、通常は電磁ソレノイド２６の非通電状態におけるロッド２６ａの右方向への突出により、通路２４ｂを閉鎖している。通路２４ｂの開放は、電磁ソレノイド２６の通電によりロッド２６ａを左方向へ吸引させて、第２開閉板２４ｄを左方向に移動させることにより行うことができる。
【００１５】
第１開閉板２３及び第２開閉板２４ｄの右側には、遊技球供給機構６０が設けられている。遊技球供給機構６０は、図５に示すように、球抜き通路２４の近接位置にて上皿基板２０に固定された支持軸６１ａに揺動自在に支持された球受け部材６１を設け、球受け部材６１のほぼ直上部に上皿基板２０に固定された支持軸６２ａに揺動自在に支持された球止め部材６２とを備えている。
【００１６】
球受け部材６１は、略Ｕ字形の凹部６１ｂが設けられており、整列路２１ｃ側の側部６１ｃの上端が、第１開閉板２３上に整列された遊技球Ｂの凹部６１ｂ内への進入を止める作用を果たす。側部６１ｃの下部に支持軸６１ａが配置されている。球受け部材６１は、整列路２１ｃの反対側の側部６１ｄの下端に、後方に向けて変位受け軸６１ｅが設けられている。球止め部材６２は、略逆Ｕ字形を呈し、その略中間部分に支持軸６２ａに挿入される中心部６２ｂを設けており、中心部６２ｂには下方に向けて係止爪６２ｃを設けている。球止め部材６２の整列路側の側部には短い突起部６２ｄが設けられており、反対側の側部には幅の広いおもり部６２ｅが設けられており、おもり部６２ｅの下端は、球受け部材６１の側部６１ｄ上端に当接している。
【００１７】
球受け部材６１と球止め部材６２は、図５に示すように、通常自重によって矢印Ｋの方向に回動した状態にあり、この状態では、側部６１ｃ上端と球止め部材６２の中心部６２ｂに設けた係止爪６２ｃとの間隔が遊技球の直径より小さくなっていることにより、整列路２１ｃの終端に位置する第１開閉板２３上の第１番目の遊技球Ｂ1 を凹部６１ｂに落下させないように止めている。そして、球受け部材６１の背面側に設けた図示しないシャッタ板により変位受け軸６１ｅが押されて、球受け部材６１と球止め部材６２が、矢印Ｋの反対方向に回動すると、側部６１ｃが下方に移動し、側部６１ｃの上端と係止爪６２ｃとの間隔が遊技球の直径より大きくなり、整列路２１ｃの終端に位置する第１番目の遊技球Ｂ1 を凹部６１ｂ内に落下させる。球止め部材６２の突起部６２ｄの下降により、整列路の第１番目の遊技球Ｂ1 と第２番目の遊技球Ｂ2 の間に突起部６２ｄが介在して、遊技球Ｂ2 の移動を止めるようになっている。
【００１８】
球受け部材６１の背面側は、図示しない遮蔽板によって塞がれており、遮蔽板の凹部６１ｂとの対向位置にのみ遊技球通過口が設けられており、遊技球通過口に続いて遊技球通過路（図示しない）が設けられている。遊技球通過路の出口側は、発射レール４２の下端近傍位置に設けられており、遊技球通路からの遊技球が円滑に発射レール４２の発射位置に供給されるようになっている。すなわち、上記シャッタ板の回動に応じて、変位受け軸６１ｅが上下動して、遊技球が１個づつ発射位置に供給されるようになっている。ただし、遊技球供給機構については、上記形式のものに限るものではない。
【００１９】
上皿基板２０の下側には、下皿基板５０が取り付けられている。下皿基板５０は、中央に下球受皿５１を設けており、右端位置に操作ハンドル５２ａを、左端位置に灰皿５２ｂを設けている。下球受皿５１は、図６に示すように、底面部５１ａと、基板５０ａ前面を除く底面板５１ａの周囲に囲い５１ｂを設けている。下球受皿５１の背面側の基板５０ａには、遊技球流入口５３ａが設けられており、遊技球流入口５３ａから後方に向けて突出した遊技球流入筒５３が取り付けられている。下球受皿５１の底面部５１ａの略中央には球排出口５１ｃが設けられている。底面部５１ａには、下球受皿５１の前面から後方に向けて水平に形成された隙間５１ｄが設けられており、隙間５１ｄ内には球排出口５１ｃを開閉する開閉部材５４が設けられている。
【００２０】
開閉部材５４は、球排出口５１ｃを被覆する開閉板５４ａと、開閉板５４ａから後方に延びた幅の小さい支持部５４ｂと、開閉板５４ａの前端に取り付けられて隙間５１ｄの前端から突出した球抜きレバー５４ｃとを設けている。開閉部材５４は、球排出口５１ｃの後方にて支持部５４ｂが底面部５１ａにピン５４ｄにより回動可能に固定されている。そして、球抜きレバー５４ｃを左方向に移動させることにより、開閉板５４ａはピン５４ｄを中心として回動し、それにより球排出口５１ｃを開閉できるようになっている。
【００２１】
遊技盤３０の裏側中央位置には、図２に示すように、樹脂製のセンターカバー７１が設けられており、その左端に各種信号処理を行うメイン基板７２が取り付けられている。センターカバー７１の上部には、賞品球タンク７３が設けられている。賞品球タンク７３の左端下側には、右端下方にわずかに傾斜したタンクレール７４が接続されている。タンクレール７４の右端は、センターカバー７１の右側を下方に延びる賞品球通路７５ａ、７５ｂに連結されている。賞品球通路７５ａ、７５ｂの間には、賞品球ケース（賞品球排出装置）７６が介装されており、賞品球ケース７６は、スプロケット（図示しない）の回動により賞品球を１個づつ下流側の賞品球通路７５ｂに排出するようになっている。賞品球通路７５ｂの下端は、上記賞品球排出口３３を介して上球受皿２１につながっている。
【００２２】
賞品球通路７５ｂの下端において下賞品球通路７５ｃが分岐されて、中央下方に延出されている。下賞品球通路７５ｃは、下球受皿５１の遊技球流入筒５３に連結されている。そのため、賞品球排出口３３において遊技球がオーバーフローすると、遊技球は下賞品球通路７５ｃに流入して、遊技球流入筒５３を通して下球受皿５１に排出される。また、下賞品球通路７５ｃには、その途中位置にて、上記遊技球排出筒４１の下端が接続されている。これにより、下皿通路２４ｃを通過して遊技球排出筒４１に流入した上球受皿２１から球抜きされた遊技球は、下賞品球通路７５ｃを通して下球受皿５１に排出される。また、遊技球排出筒４１に流入したファール球も、下賞品球通路７５ｃを通して下球受皿５１に排出される。
【００２３】
センターカバー７１の下側には、上記入賞口等に入賞した遊技球が遊技盤１１の裏面の開口から落下した遊技球を集める入賞球集合樋７７が、左下方向に傾斜して設けられている。入賞球集合樋７７の左端位置には、入賞球検出スイッチ７７ａ、入賞球排出ソレノイド７７ｂ及び入賞球排出カム７７ｃが順次設けられており、入賞球排出カム７７ｃの下側の通路には入賞球排出確認センサ７７ｄが設けられている。入賞球集合樋７７の右端位置には、賞品球の排出、遊技球の発射等の制御を行う賞球基板７８が取り付けられている。賞球基板７８の下側には、発射モータを含む遊技球発射装置７９が設けられている。
【００２４】
賞球基板７８には、上記上皿球抜きボタン２２ａ及び上皿切替レバー２２ｂが接続されると共に、電磁ソレノイド２５、２６が接続されている。上皿球抜きボタン２２ａ及び上皿切替レバー２２ｂのオンオフ操作に応じて、賞球基板７８の制御により、電磁ソレノイド２５、２６への通電及び通電停止が行われる。
【００２５】
つぎに、上記のように構成した第１の実施形態の動作について説明する。上球受皿２１から下球受皿５１に球抜きする場合には、上皿切替レバー２２ｂが下皿通路側（右側位置）に設定された状態で、上皿球抜きボタン２２ａを押すと、電磁ソレノイド２５が通電され、第１開閉板２３を移動させることにより、球抜き通路２４の開口部２４ａが開放される。このとき、図７（ａ）に示すように、第２開閉板２４ｄは、通路２４ｂを閉じているので、遊技球は下皿通路２４ｃを通って下球受皿５１に収容され、上球受皿２１に貯留された遊技球について従来通りの球抜きを行うことができる。また、下球受皿５１に貯留された遊技球についても、従来通り、球抜きレバー５４ｃを操作することにより、球排出口５１ｃを被覆する開閉板５４ａを移動させ、球排出口５１ｃを開放し、遊技球を下方に落下させることができる。
【００２６】
そして、パチンコ遊技機がいわゆる大当り状態になり、短時間に上球受皿２１及び下球受皿５１に大量の賞品球が供給され、これら大量の遊技球を迅速に上球受皿２１から球抜きする必要がある場合には、上皿切替レバー２２ｂを通路２４ｂ側（図４に示す左側位置）に切り替えた後、上皿球抜きボタン２２ａを押せばよい。これにより、図７（ｂ）に示すように、第２開閉板２４ｄが移動して、通路２４ｂが開放されると共に、下皿通路２４ｃが第２開閉板２４ｄの遮蔽部２４ｄ1 による閉鎖され、さらに第１開閉板２３が移動して開口部２４ａが開放されるので、遊技球通路の遊技球は、下球受皿５１を経由することなく、通路２４ｂ内に落下し、第２遊技球排出筒４４を通って直接球取出口４４ｂから放出される。
【００２７】
その結果、上球受皿２１に貯留された大量の遊技球を、下球受皿５１の球排出口５１ｃとは別経路で球取出口４４ｂから直接放出することができるので、迅速な球抜き処理を簡単に行うことができる。特に、いわゆる大当り状態の発生において、１回毎に賞品球を交換しなければならない１回交換のような場合に、大量の賞品球の球抜きを下球受皿５１からの球抜きと同時に行うことにより、遊技球の停滞を防止しつつ短時間に球抜き行うことができ便利である。また、上皿切替レバー２２ｂを通路２４ｂ側に切り替えた後、上皿球抜きボタン２２ａを押せばよいので、上記球抜きを非常に簡単に行うことができ便利である。
【００２８】
つぎに、上記第１の実施形態の変形例１について説明する。変形例１においては、上記第１の実施形態に示した上皿切替レバー２２ｂの代わりに、上直接球抜きボタン８１を設けたものである。上直接球抜きボタン８１は、図８に示すように、上球受皿２１の囲い２１ａの右端側の平坦領域２１ａ1に設けられ、上皿球抜きボタン２２ａの左または右位置に並設することもできる。上直接球抜きボタン８１は、押釦式スイッチであり、これをオンすることにより、請求項に示す第６球抜き機構が働き、電磁ソレノイド２５、２６が同時に通電され、第１開閉板２３が移動して開口部２４ａが開放されると同時に、第２開閉板２４ｄも移動して通路２４ｂが開放されると共に下皿通路２４ｃが閉鎖される。そのため、単一の上直接球抜きボタン８１の操作により、上球受皿２１に貯留された遊技球が下球受皿５１を経由することなく直接に球排出口４４ｂから放出させることができる。
【００２９】
また、上皿球抜きボタン２２ａをオンさせた場合には、上記したように、上球受皿２１の第１開閉板２３の移動により、球抜き通路２４の下皿通路２４ｃのみが開放され、上球受皿２１に貯留された遊技球が下球受皿５１に収容される。なお、上直接球抜きボタン８１をオンにすることにより、電磁ソレノイド２６のみを通電させ、第２開閉板２４ｄを移動させて通路２４ｂの開放と下皿通路２４ｃの閉鎖のみを行うようにすることもできる。この場合は、上皿球抜きボタン２２ａもオンさせる必要がある。
【００３０】
つぎに、変形例２について説明する。変形例２においては、上記第１の実施形態に示した上皿球抜きボタン２２ａ及び上皿切替レバー２２ｂの代わりに、単一の球抜きレバー８２を設けたものである。球抜きレバー８２は、図９に示すように、上球受皿２１の囲い２１ａの右端側の平坦領域２１ａ1 に設けられ、球抜きレバー８２は、左方向に２段階で移動し、位置Ｔ1 ，Ｔ2 で停止できるようになっている。位置Ｔ1 では電磁ソレノイド２５がオンにされ、上球受皿２１の第１開閉板２３の移動により、球抜き通路２４の下皿通路２４ｃのみが開放される。従って、上球受皿２１に貯留された遊技球が下球受皿５１に収容される。また、位置Ｔ2 では、電磁ソレノイド２５、２６が同時にオンにされ、第１開閉板２３が移動して開口部２４ａが開放されると同時に、第２開閉板２４ｄも移動して通路２４ｂが開放されると共に下皿通路２４ｃが閉鎖される。そのため、上球受皿２１に貯留された遊技球が下球受皿５１を経由することなく直接に球排出口４４ｂから放出される。すなわち、１個の切替レバーにより、上記２系統の操作を行うことができ便利である。
【００３１】
なお、球抜きレバー８２の位置Ｔ1 ，Ｔ2 での停止機構としては、図示しないが、例えば球抜きレバー８２に弾性板製の係止部材を設け、上球受皿２１内に設けた係合部材に係止させるような公知の手段を用いたものがある。そして、係合部材または係止部材に力を加えて変形等させることにより両者の係合を解除し、停止状態を解除することができる。また、例えば球抜きレバー８２に金属片を設け、上球受皿２１内に設けた磁石に吸着させることより停止することができ、磁石の移動やその消磁により金属片の吸着を解除し、停止状態を解除することができる。
【００３２】
つぎに、変形例３について説明する。変形例３においては、球抜き通路２４の通路２４ｂと下皿通路２４ｃの切り替えを、上記電磁ソレノイド２６と第２開閉板２４ｄの代わりに、図１０に示すように、ロータリーソレノイド２７と、その回転軸に取り付けた切替板２４ｅとにより行うようにしたものである。ロータリーソレノイド２７の非通電時には、切替板２４ｅが、図１０の実線に示すように、通路２４ｂを閉鎖している状態とする。一方、ロータリーソレノイド２７の通電時には、切替板２４ｅが回動されて、図１０の二点鎖線に示すように、下皿通路２４ｃを閉鎖した状態となる。これにより、通路２４ｂと下皿通路２４ｃの切り替えを行うことができる。
【００３３】
なお、上記実施形態及び変形例においては、第１開閉板２３及び第２開閉板２４ｄの駆動を電磁ソレノイド２５、２６により行っており、切替板２４ｅの駆動をロータリーソレノイド２７により行っているが、これに代えて、電動モータを用いた構成とすることもできる。
【００３４】
つぎに、第２の実施形態について図面により説明する。第２の実施形態においては、上記第１の実施形態に示した第１開閉板２３、第２開閉板２４ｄの駆動を、電磁ソレノイド２５、２６の代わりに、コイルバネ９１、９２を用いて機械的に行うようにしたものである。すなわち、第１開閉板２３は、図１１及び図１２に示すように、その左端が球抜き通路２４の上端に固定されたコイルバネ９１に接続されると共に、上皿球抜きボタン９３にも連結されている。そして、第１開閉板２３は、通常はコイルバネ９１の吸引力により、開口部２４ａを閉鎖しており、上皿球抜きボタン９３を押すことにより、コイルバネ９１の吸引力に対抗して、第１開閉板２３が左方に移動し、開口部２４ａが開放され、球抜き通路２４が開放される。
【００３５】
また、第２開閉板２４ｄは、図１１及び図１２に示すように、左方に延びた端部が通路２４ｂに固定されたコイルバネ９２に接続されると共に、上皿切替レバー９４にも連結されている。そして、上皿切替レバー９４を下皿通路２４ｃ側（右側）に設定することにより、第２開閉板２４ｄは、通常はコイルバネ９２の吸引力により、通路２４ｂを閉鎖しており、上皿切替レバー９４を通路２４ｂ側（図１２に示す左側）に切り替えることにより、コイルバネ９２の吸引力に対抗して、第２開閉板２４ｄが左方に移動し、通路２４ｂが開放されかつ下皿通路２４ｃが閉鎖される。上皿切替レバー９４が通路２４ｂ側（左側）に切り替えられた状態で、上皿球抜きボタン９３を押すことにより、コイルバネ９１の吸引力に対抗して、第１開閉板２３が左方に移動し、開口部２４ａが開放されるので、上球受皿２１に貯留された遊技球を、下球受皿５１を経由することなく、通路２４ｂ及び第２遊技球排出筒４４を通して直接球取出口４４ｂから下方に放出させることができる。その結果、第２の実施形態においても、上記第１の実施形態に示したと同様の効果を得ることができる。
【００３６】
つぎに、第３の実施形態について図面により説明する。上記各実施形態においては、球抜き通路２４を、互いに分岐した下方にわずかに延びた通路２４ｂと、左下方に向けてわずか傾斜して延出された下皿通路２４ｃとにより構成したが、第３の実施形態では、球抜き通路の構成を変更した。すなわち、図１３に示すように、球抜き通路１０１を、互いに分岐した下方にわずかに延びた下皿通路１０１ｂと、左下方に向けてわずか傾斜して延出された通路１０１ｃとにより構成した。下皿通路１０１ｂの下端は、図示しない延長筒部により上記遊技球排出筒４１の開口４１ａに連通するようにされる。また、通路１０１ｃの左端の開口部１０１ｃ1 は、遊技球排出筒４１の左側の図示しない第３の遊技球排出筒に連通され、下皿基板５０の前面の球取出口４４ｂにつなげられるようになっている。
【００３７】
下皿通路１０１ｂの上端には、上記第１開閉板２３と同一形状の第３開閉板１０２ａが設けられている。第３開閉板１０２ａは、電磁ソレノイド１０３のオフ状態に対応して開口部１０１ａを閉鎖しており、オン状態に対応して電磁ソレノイド１０３により駆動されて開口部１０１ａを開放する。下皿通路１０１ｂと通路１０１ｃの分岐位置の下端側には、通路１０１ｃを開閉すると共に下皿通路１０１ｂを開閉する水平に配置された上記第２開閉板２４ｄと同一形状の第４開閉板１０２ｂが設けられている。第４開閉板１０２ｂは、電磁ソレノイド１０３のオフ状態に対応して通路１０１ｃを閉鎖しており、オン状態に対応して電磁ソレノイド１０４により駆動されて、通路１０１ｃを開放すると共に下皿通路１０１ｂを閉鎖する。
【００３８】
電磁ソレノイド１０３は、図１４に示す上球受皿２１の右端側の平坦領域２１ａ1 の左側に設けた上皿球抜きボタン１１１を押すことにより通電される。また、上皿球抜きボタン１１１に並設された球抜きボタン１１２を押すことにより、電磁ソレノイド１０３及び１０４に通電される。
【００３９】
つぎに、上記のように構成した第３の実施形態の動作について説明する。上球受皿２１から下球受皿５１に球抜きする場合には、上皿球抜きボタン１１１を押すと、電磁ソレノイド１０３が通電され、第３開閉板１０２ａが開放され、下皿通路１０１ｂが開放されることにより、上球受皿２１に貯留された遊技球は下球受皿５１に移される。また、上球受皿２１に貯留された遊技球を球取出口４４ｂから直接球抜きする場合には、球抜きボタン１１２を押せばよい。これにより、第３開閉板１０２ａが移動して、開口部１０１ａが開放されると共に、第４開閉板１０２ｂが移動して、下皿通路１０１ｂが閉鎖されるので、遊技球は、下球受皿５１を経由することなく、通路１０１ｃ内に落下し、直接第３遊技球排出筒を通って球取出口４４ｂから放出される。
【００４０】
その結果、第３の実施形態においても、上記第１の実施形態に示したと同様の効果を得ることができる。なお、第３の実施形態においても、上記変形例３に示したように、ロータリーソレノイド２７と切替板２４ｅを用いることができる。また、電磁ソレノイド、ロータリーソレノイドの代わりに電動モータを用いることもでき、コイルバネ等の機械的手段を用いることもできる。さらに、スイッチの形態についても変更可能である。
【００４１】
なお、上記各実施形態においては、上球受皿２１の右端部より球抜きを行い、下球受皿５１の中央に設けた球排出口５１ｃより球放出を行っているが、この位置に限るものではない。また、上記球抜き機構の電気的構成及び機械的構成については、これに限るものではない。
【００４２】
また、上記各実施形態においては、上球受皿２１に貯留された大量の遊技球を、下球受皿５１を通さずに別経路で球取出口４４ｂから直接放出することにより、迅速な球抜き処理を簡単に行うようにしているが、このような大量の賞品球のパチンコ遊技機からの取り出し方法として、上球受皿２１や下球受皿５１に流入させる前に処理することも可能である。すなわち、図２に示す賞品球通路７５ｂの賞品球排出口３３の上流側にて賞品球通路７５ｂから分岐し、上記球取出口４４ｂにつながる球放出通路（図示しない）を設け、賞品球通路７５ｂと球放出通路との分岐部分に切り替え部材を設け、両通路の切り替えを可能にすればよい。これにより、大量の賞品球を受皿を介在させることなく、円滑にパチンコ遊技機の外部に取り出すことができる。
【産業上の利用可能性】
【００４３】
本発明によれば、球受皿に供給された大量の遊技球を効率よく球抜きできるパチンコ遊技機を提供することができる。
【図面の簡単な説明】
【００４４】
【図１】本発明の第１の実施形態に係るパチンコ遊技機を概略的に示す正面図である。
【図２】同パチンコ遊技機を示す背面図である。
【図３】同パチンコ遊技機の一部を概略的に示す斜視図である。
【図４】同パチンコ遊技機の上球受皿を詳細に示す平面図である。
【図５】同パチンコ遊技機の球抜き部分及び遊技球供給部分を背面側から詳細に示す一部断面図である。
【図６】同パチンコ遊技機の下球受皿を詳細に示す平面図である。
【図７】同パチンコ遊技機の上球受皿からの球抜きを説明する説明図である。
【図８】変形例１の上球受皿を詳細に示す平面図である。
【図９】変形例２の上球受皿を詳細に示す平面図である。
【図１０】変形例３の上球受皿の球抜き部分を背面側から詳細に示す一部断面図である。
【図１１】第２の実施形態であるパチンコ遊技機の球抜き部分を背面側から詳細に示す一部断面図である。
【図１２】同パチンコ遊技機の上球受皿を詳細に示す平面図である。
【図１３】第３の実施形態であるパチンコ遊技機の球抜き部分を背面側から詳細に示す一部断面図である。
【図１４】同パチンコ遊技機の上球受皿を詳細に示す平面図である。
【符号の説明】
【００４５】
１０…本体、２０…上皿基板、２１…上球受皿、２１ｃ…整列路、２１ｄ…賞品球供給口、２２ａ…上皿球抜きボタン、２２ｂ…上皿切替レバー、２３…第１開閉板、２４…球抜き通路、２４ａ…開口部、２４ｂ…通路、２４ｃ…下皿通路、２４ｄ…第２開閉板、２４ｄ1 …遮蔽部、２４ｅ…切替板、２５，２６…電磁ソレノイド、２５ａ，２６ａ…ロッド、２７…ロータリーソレノイド、３０…遊技盤、３３…賞品球排出口、４０…基盤、４２…発射レール、５０…下皿基板、５１…下球受皿、５１ｃ…球排出口、５４…開閉部材、５４ａ…開閉板、５４ｃ…球抜きレバー、６０…遊技球供給機構、６１…球受け部材、６２…球止め部材、７５ａ，７５ｂ…賞品球通路、７５ｃ…下賞品球通路、７８…賞球基板、８１…上直接球抜きボタン、８２…球抜きレバー、９１，９２…コイルバネ、９３…上皿球抜きボタン、９４…上皿切替レバー、１０１…球抜き通路、１０１ｂ…下皿通路、１０１ｃ…通路、１０２ａ…第３開閉板、１０２ｂ…第４開閉板、１０３、１０４…電磁ソレノイド、１１１…上皿球抜きボタン、１１２…球抜きボタン。
【図１】
0003922645.tif 000002
【図２】
0003922645.tif 000003
【図３】
0003922645.tif 000004
【図４】
0003922645.tif 000005
【図５】
0003922645.tif 000006
【図６】
0003922645.tif 000007
【図７】
0003922645.tif 000008
【図８】
0003922645.tif 000009
【図９】
0003922645.tif 000010
【図１０】
0003922645.tif 000011
【図１１】
0003922645.tif 000012
【図１２】
0003922645.tif 000013
【図１３】
0003922645.tif 000014
【図１４】
0003922645.tif 000015